(57)【要約】【課題】競技者がゴルフボールを見続けながらスイングする状態において、そのフォームの適正、不適正を競技者に認知させることができるゴルフスイングフォーム矯正具および矯正用クラブを提供する。【解決手段】ゴルフクラブのグリップエンド側に装着する矯正具４であり、グリップ３に覆われたシャフト１の後端にグリップエンド３１の開口３２を通して差し込む接続部４１と、シャフト１の軸心方向に伸びて競技者の脇腹に当接可能な位置まで延長されたスイング矯正部４２を有する。【選択図】図１
0003188564.tif 000002
【実用新案登録請求の範囲】
【請求項１】
ゴルフクラブのグリップエンド側に装着する矯正具であり、グリップに覆われたシャフトの後端にグリップエンドの開口を通して差し込む接続部と、シャフトの軸心方向に伸びて競技者の脇腹に当接可能な位置まで延長されたスイング矯正部を有することを特徴とするゴルフスイングフォーム矯正具。
【請求項２】
接続部はシャフトおよびグリップに対して着脱自在であることを特徴とする請求項１に記載のゴルフスイングフォーム矯正具。
【請求項３】
シャフトの一方端側にクラブヘッドを有し、シャフトの他方端側にグリップを備え、グリップエンド側に矯正具を装着した矯正用ゴルフクラブであり、
矯正具はグリップに覆われたシャフトの後端にグリップエンドの開口を通して差し込む接続部と、シャフトの軸心方向に伸びて競技者の脇腹に当接可能な位置まで延長されたスイング矯正部を有することを特徴とする矯正用ゴルフクラブ。
【請求項４】
接続部はシャフトおよびグリップに対して着脱自在であることを特徴とする請求項３に記載の矯正用ゴルフクラブ。
【考案の詳細な説明】
【技術分野】
【０００１】
本考案は、ゴルフスイングフォーム矯正具および矯正用クラブに関し、特にゴルフクラブをスイングする際のフォームを矯正する技術に係るものである。
【背景技術】
【０００２】
従来、この種の技術には、例えば特許文献１に記載するものがある。これは、グリップ部の後端にグリップ及びシャフトの動きを確認するための確認突棒を設けたものであり、スイングする間において競技者が確認突棒の先端と腕との相対位置を視認することにより、フォームの良否を判断するものである。
【０００３】
正しいスイングでは、確認突棒と腕の関係が以下のようになる。バックスイングのときには、確認突棒の先端が左前腕の内側に収まるようにトップにまで振り上げる。ダウンスイングからインパクトにかけてのインパクトゾーンでは、確認突棒の先端が前腕の内側から左右両腕を結ぶ線よりも前上方へ突出するようにスイングする。
【０００４】
インパクトゾーンでは確認突棒の先端が輪を描くように回転する。インパクトからフォロースルーにかけて確認突棒の先端が両腕の中央部から再び左前腕内側に収まるようにスイングする。
【先行技術文献】
【特許文献】
【０００５】
【特許文献１】特開平７−２４６２６２号
【考案の概要】
【考案が解決しようとする課題】
【０００６】
上記した従来の構成では、競技者が自身のフォームを確認するためには、スイングを行っている間中、確認突棒の先端を見つめている必要がある。しかし、本来の正しいフォームとは、ゴルフボールに視線を合わせてゴルフボールを見続けながらスイングしたときのフォームであり、確認突棒の先端を見つめることでフォームが崩れてしまう。このため、確認突棒を見ながら正しいフォームでスイングすることは困難である。
【０００７】
本考案は、上記した課題を解決するものであり、競技者がゴルフボールを見続けながらスイングする状態において、そのフォームの適正、不適正を競技者に認知させることができるゴルフスイングフォーム矯正具および矯正用クラブを提供することを目的とする。
【課題を解決するための手段】
【０００８】
上記した課題を解決するために、本考案のゴルフスイングフォーム矯正具は、ゴルフクラブのグリップエンド側に装着する矯正具であり、グリップに覆われたシャフトの後端にグリップエンドの開口を通して差し込む接続部と、シャフトの軸心方向に伸びて競技者の脇腹に当接可能な位置まで延長されたスイング矯正部を有することを特徴とする。
【０００９】
本考案のゴルフスイングフォーム矯正具において、接続部はシャフトおよびグリップに対して着脱自在であることを特徴とする。
本考案の矯正用ゴルフクラブは、シャフトの一方端側にクラブヘッドを有し、シャフトの他方端側にグリップを備え、グリップエンド側に矯正具を装着した矯正用ゴルフクラブであり、矯正具はグリップに覆われたシャフトの後端にグリップエンドの開口を通して差し込む接続部と、シャフトの軸心方向に伸びて競技者の脇腹に当接可能な位置まで延長されたスイング矯正部を有することを特徴とする。
【００１０】
本考案の矯正用ゴルフクラブにおいて、接続部はシャフトおよびグリップに対して着脱自在であることを特徴とする。
【考案の効果】
【００１１】
本考案によれば、競技者が正しいフォームでスイングする場合には、ゴルフクラブの延長線上にある矯正具は、ゴルフクラブが競技者の身体を軸として回転する間に、競技者に強く触れることなくゴルフクラブとともに競技者の身体の廻りを回転する。
【００１２】
しかし、腕の振りだけでゴルフクラブをスイングしたり、あるいは身体の回転よりも腕の振りが先行するような、正しくないフォームでは、インパクトからフォロースルーにかけて、クラブヘッドが引き手側の腕の延長線よりも前方側へ先行する。このため、グリップエンドの側、つまりクラブヘッドに対してグリップを隔てた反対側にある矯正具は、クラブヘッドが引き手側の腕の延長線よりも後方側、すなわち身体側に後退する。
【００１３】
この結果、ゴルフクラブの延長線上にある矯正具が、インパクトからフォロースルーにかけて、競技者の脇腹に強く触れることになり、競技者にフォームが崩れていることを認知させる。
【図面の簡単な説明】
【００１４】
【図１】本考案の実施の形態におけるゴルフクラブを示す全体図であり、（ａ）は矯正具をゴルフクラブから外した状態を示す図、（ｂ）は矯正具をゴルフクラブに装着した状態を示す図
【図２】同矯正具の断面図
【図３】同矯正具を装着したゴルフクラブを示す全体図
【図４】同矯正具を装着したゴルフクラブを正しいフォームでスイングした状態を示す図
【図５】同矯正具を装着したゴルフクラブを正しくないフォームでスイングした状態を示す図
【考案を実施するための形態】
【００１５】
以下、本考案の実施の形態を図面に基づいて説明する。図１〜図３において、矯正用ゴルフクラブは、シャフト１と、シャフト１の先端側に装着したクラブヘッド２と、シャフト１の後端側に装着したグリップ３を備えており、グリップエンド側に本考案のゴルフスイングフォーム矯正具４を着脱自在に装着している。ゴルフスイングフォーム矯正具４はシャフト１に固定的に装着することも可能である。
【００１６】
本考案のゴルフスイングフォーム矯正具４（以下においては単に矯正具４と称す）は、グリップ３に覆われたシャフト１の後端１１にグリップエンド３１の開口３２を通して差し込む接続部４１と、シャフト１の軸心方向に伸びて競技者の脇腹に当接可能な位置まで延長されたスイング矯正部４２を有している。スイング矯正部４２は剛体であってもよく、フレキシブルな弾性体であってもよい。また、ゴルフスイングフォーム矯正具４を装着しない場合には、グリップエンド３１の開口３２に蓋を装着（図示省略）する。
【００１７】
以下、上記した構成における作用を説明する。
正しいスイングフォームにおいて、テイクバックは、腕のみで上げるのではなく、競技者の身体（背骨）を軸として肩（上半身）の回転で行い、体と腕が一体となった状態で身体を捻転させる。ダウンスイングはシャフトを身体の回転によって回転させてシャフトを両腕の範囲内で振り下ろし、フォロースルーを腕がきちんと伸びた状態で行う。
【００１８】
図４に示すように、競技者５が正しいフォームでスイングする場合には、ゴルフクラブのシャフト１の延長線上にある矯正具４は、ゴルフクラブが競技者５の身体を軸として回転する間に、競技者５の身体に強く触れることなくゴルフクラブとともに競技者５の身体の廻りを回転する。
【００１９】
しかし、アプローチショット等において、図５に示すように、腕５１、５２の振りだけでゴルフクラブをスイングしたり、あるいは身体の回転よりも腕５１、５２の振りが先行するような、正しくないフォームでは、クラブヘッド２がボール６に当たるインパクトからその後のフォロースルーにかけて、クラブヘッド２が引き手側の腕５１の延長線よりも前方側へ先行する。このため、クラブヘッド２に対してグリップ３を隔てた反対側にある矯正具４は、クラブヘッド２が引き手側の腕５１の延長線よりも身体側に後退する。
【００２０】
この結果、ゴルフクラブの延長線上にある矯正具４が、インパクトからフォロースルーにかけて、競技者５の脇腹５３に強く触れることになり、競技者にフォームが崩れていることを認知させる。
【符号の説明】
【００２１】
１    シャフト
２    クラブヘッド
３    グリップ
４    矯正具
５    競技者
６    ボール
１１    後端
３１    グリップエンド
３２    開口
４１    接続部
４２    スイング矯正部
５１、５２  腕
５３    脇腹
【図１】
0003188564.tif 000003
【図２】
0003188564.tif 000004
【図３】
0003188564.tif 000005
【図４】
0003188564.tif 000006
【図５】
0003188564.tif 000007